(57)【要約】【課題】スリンガから飛散したオイルがミスト状になって捕集されにくくなってしまうことを抑制することができるオイルシールを提供する。【解決手段】このオイルシールの内環には、径方向外側に延びるフランジからなるスリンガ１２が設けられている。スリンガ１２の外縁部は、周方向における寸法である幅が径方向外側に位置する先端１２１に向かって次第に狭くなる複数のエッジ部１２０が周方向に並んだ鋸歯形状をなしており、スリンガ１２の表面には、エッジ部１２０の先端１２１まで延びるオイルガイド溝１２２が形成されている。【選択図】図３
2016205528.tif 000002
【特許請求の範囲】
【請求項１】
オイルによって潤滑される回転軸に固定される内環と、
同内環よりも直径が大きく、同内環から径方向外側に離間した状態で、前記回転軸を収容するハウジングに固定される外環と、
同外環に固定されて前記内環に摺動可能に当接するシール部材とを備え、
前記内環に径方向外側に延びるフランジからなるスリンガが設けられているオイルシールにおいて、
前記スリンガの外縁部は、周方向における寸法である幅が径方向外側に位置する先端に向かって次第に狭くなる複数のエッジ部が周方向に並んだ鋸歯形状をなしており、
前記スリンガの表面には、前記エッジ部の先端まで延びるオイルガイド溝が形成されている
ことを特徴とするオイルシール。
【発明の詳細な説明】
【技術分野】
【０００１】
この発明は回転軸を収容するハウジングと回転軸との間に設けられるオイルシールに関するものである。
【背景技術】
【０００２】
回転軸を収容するハウジングと回転軸との間に設けられるオイルシールとして、回転軸の外周に固定されて回転軸と一体に回転する内環と、内環よりも直径が大きく内環の外側に離間して配置された外環とを備えるものが知られている（例えば特許文献１）。
【０００３】
こうしたオイルシールでは、外環は回転軸を収容するハウジングに固定されており、内環は外環に対して相対回転可能になっている。外環には、ゴムなどの弾性素材からなるシール部材が固定されている。そして、シール部材は、内環に押しつけられた状態で配設され、内環と外環との隙間をシールしている。このため、回転軸の回転に伴い内環が回転した場合であっても、内環にシール部材が押しつけられた状態でシール部材が内環と摺動し、内環と外環との隙間が塞がれた状態が維持される。これにより、回転軸を潤滑するオイルが内環と外環との隙間を通じてハウジングから外部に漏れ出ることが抑制される。
【０００４】
また、特許文献１に記載されているオイルシールでは、スリンガとして、内環に径方向外側に向かって延びるフランジを設けている。スリンガに付着したオイルは遠心力でスリンガ表面を径方向外側に向かって移動し、スリンガの外縁部から飛散する。
【先行技術文献】
【特許文献】
【０００５】
【特許文献１】特開平７‐２０８６１０号公報
【発明の概要】
【発明が解決しようとする課題】
【０００６】
ところで、スリンガの外縁部から飛散したオイルの液滴が小さいと、飛散した液滴がハウジングの内壁に衝突してミスト状になったり、飛散した液滴がそのままミスト状になったりして、オイルがハウジング内を漂う状態になりやすい。オイルがミスト状になり、ハウジング内を漂っていると、オイルパンに回収することができないため、オイルの捕集率が低下し、オイルの消費量が増大してしまう。
【０００７】
この発明は上記の実情に鑑みてなされたものであり、その目的は、スリンガから飛散したオイルがミスト状になって捕集されにくくなってしまうことを抑制することのできるオイルシールを提供することにある。
【課題を解決するための手段】
【０００８】
以下、上記の課題を解決するための手段及びその作用効果について記載する。
上記の課題を解決するためのオイルシールは、オイルによって潤滑される回転軸に固定される内環と、同内環よりも直径が大きく、同内環から径方向外側に離間した状態で、前記回転軸を収容するハウジングに固定される外環と、同外環に固定されて前記内環に摺動可能に当接するシール部材とを備えている。そして、このオイルシールでは、前記内環に径方向外側に延びるフランジからなるスリンガが設けられている。また、このオイルシールでは、前記スリンガの外縁部は、周方向における寸法である幅が径方向外側に位置する先端に向かって次第に狭くなる複数のエッジ部が周方向に並んだ鋸歯形状をなしており、前記スリンガの表面には、前記エッジ部の先端まで延びるオイルガイド溝が形成されている。
【０００９】
上記の構成によれば、スリンガに付着したオイルが遠心力で径方向外側に向かう際に、オイルガイド溝やエッジ部の縁に沿って流れやすくなり、エッジ部の先端に向かいやすくなる。そのため、エッジ部の先端に向かう過程で、スリンガに付着しているオイルが合流しやすくなる。その結果、エッジ部の先端に向かう過程でオイルの液滴が成長し、スリンガの外縁部から飛散するオイルの液滴が大きくなるため、飛散したオイルがミスト状になってしまうことが抑制される。
【００１０】
すなわち、上記の構成によれば、スリンガから飛散したオイルがミスト状になって捕集されにくくなってしまうことを抑制することができる。
【図面の簡単な説明】
【００１１】
【図１】オイルシールの一実施形態についてその配設態様を示す内燃機関の断面図。
【図２】同実施形態にかかるオイルシールの拡大断面図。
【図３】同実施形態にかかるオイルシールにおけるスリンガの形状を示す正面図。
【発明を実施するための形態】
【００１２】
以下、オイルシールの一実施形態について、図１〜図３を参照して説明する。なお、この実施形態のオイルシール１０は、内燃機関のクランクシャフトにおけるフライホイールと接続されるリアフランジの部分をシールするオイルシールである。
【００１３】
図１に示すように、ハウジング４０の挿通孔４１に挿通されているクランクシャフト２０の端部には、拡径されたリアフランジ２１が形成されている。このリアフランジ２１には、フライホイール３０が固定されている。
【００１４】
クランクシャフト２０は、ハウジング４０の軸受け部４２によって回転可能に支持されている。なお、図１〜３にはクランクシャフト２０の回転方向を白抜き矢印で示している。
【００１５】
また、クランクシャフト２０には、同クランクシャフト２０と軸受け部４２との摺動部などを潤滑するためのオイルが、オイルポンプで圧送されてオイル供給孔から吐出されたり、オイルパンから掻き上げられたりすることによって供給される。
【００１６】
オイルシール１０は、ハウジング４０の挿通孔４１の内部に設けられ、この挿通孔４１の内部の空間をオイルシール１０よりも軸受け部４２側の部分と、オイルシール１０よりもフライホイール３０側の部分とに区画し、オイルが軸受け部４２側の部分からフライホイール３０側の部分に漏れ出すことを抑制する。すなわち、オイルシール１０は、オイルがハウジング４０の外部に漏れ出すことを抑制する。
【００１７】
なお、潤滑に供されたオイルは、ハウジング４０の内壁を伝ってオイルパンに流れ落ち、オイルパンに捕集される。
図２に示すように、オイルシール１０には、円筒状をなし、リアフランジ２１の外周に固定された内環１１が設けられている。内環１１における軸受け部４２側の端部には、径方向外側に突出したフランジからなるスリンガ１２が設けられている。なお、スリンガ１２は内環１１の全周に亘って設けられている。
【００１８】
また、オイルシール１０には、円筒状をなし、内環１１よりも直径が大きい外環１３が設けられている。外環１３は、クランクシャフト２０の軸方向において、内環１１と略同じ位置に配置され、内環１１からクランクシャフト２０の径方向外側に離間した状態でハウジング４０に固定されている。外環１３におけるフライホイール３０側の端部には、径方向内側に突出したフランジからなる突出部１４が形成されている。なお、突出部１４は外環１３の全周に亘って設けられている。
【００１９】
このため、このオイルシール１０では、内環１１と外環１３とが径方向において互いに対向しているとともに、スリンガ１２と突出部１４とが軸方向において互いに対向している。
【００２０】
また、外環１３には、弾性材料からなるシール部材１５が固定されている。シール部材１５には、外環１３の突出部１４をフライホイール３０側から覆う被覆部１６が設けられている。被覆部１６における径方向内側の端部には、径方向内側に延びて内環１１に当接する第１リップ部１７と、軸方向に延びて内環１１のスリンガ１２に当接する第２リップ部１８とが設けられている。
【００２１】
第１リップ部１７の先端は、フライホイール３０側に折り曲げられた状態で内環１１に当接しており、弾性を利用して同先端が内環１１に押しつけられている。また、第２リップ部１８の先端は、径方向外側に折り曲げられた状態でスリンガ１２に当接しており、弾性を利用して同先端がスリンガ１２に押しつけられている。このため、内環１１と外環１３との隙間は、シール部材１５によって塞がれている。
【００２２】
こうしたオイルシール１０では、クランクシャフト２０が回転すると、内環１１が外環１３及びシール部材１５に対して相対回転する。このとき、シール部材１５の第１リップ部１７及び第２リップ部１８は、内環１１に押しつけられた状態で同内環１１と摺動する。このため、クランクシャフト２０が回転しているときであっても、内環１１と外環１３との隙間が塞がれた状態に維持される。
【００２３】
図３に示すように、オイルシール１０ではスリンガ１２の外縁部が鋸歯形状になっている。なお、図３は図２における矢印Ａ１の方向からスリンガ１２を見た状態を示している。
【００２４】
より詳しく説明すると、スリンガ１２の外縁部には、全周に亘って連続するように、周方向に並べて複数のエッジ部１２０が設けられている。エッジ部１２０は、周方向における寸法である幅が径方向外側に位置する先端１２１に向かって次第に狭くなっている。これにより、スリンガ１２の外縁部は鋸歯形状をなしている。
【００２５】
また、スリンガ１２における軸受け部４２側の表面には各エッジ部１２０の先端１２１まで延びるオイルガイド溝１２２が形成されている。このオイルシール１０では、オイルガイド溝１２２が各エッジ部１２０に対して３本ずつ形成されており、各エッジ部１２０の先端１２１には３本のオイルガイド溝１２２がつながっている。そのため、各エッジ部１２０に設けられた３本のオイルガイド溝１２２は先端１２１に近づくにつれて互いに近づくようになっている。
【００２６】
次に、図３を参照して、本実施形態の作用について説明する。
内環１１と外環１３との隙間がシール部材１５によって塞がれている。このため、クランクシャフト２０を潤滑するオイルがクランクシャフト２０と軸受け部４２との間を通じて軸受け部４２よりもオイルシール１０側の部分に漏れ出たとしても、オイルが内環１１と外環１３との隙間を通じてオイルシール１０よりもフライホイール３０側の部分に漏れ出ることが抑制される。
【００２７】
また、内環１１のスリンガ１２に付着したオイルは内環１１の回転に伴う遠心力によってスリンガ１２の表面を径方向外側に移動し、スリンガ１２の外縁部から飛散する。これにより、このオイルシール１０では、オイルがシール部材１５によるシール面に到達しにくくなっている。
【００２８】
なお、図３に示すように、このオイルシール１０では、スリンガ１２の外縁部が鋸歯形状になっている。そのため、スリンガ１２に付着したオイルが、遠心力で径方向外側に向かう際に、矢印で示すように、オイルガイド溝１２２やエッジ部１２０の縁に沿って流れやすくなり、エッジ部１２０の先端１２１に向かいやすくなる。そのため、エッジ部１２０の先端１２１に向かう過程で、スリンガ１２に付着しているオイルが合流しやすくなる。
【００２９】
その結果、エッジ部１２０の先端１２１に向かう過程でオイルの液滴が成長し、スリンガ１２の外縁部から飛散するオイルの液滴が大きくなるため、飛散したオイルがミスト状になってしまうことが抑制される。
【００３０】
以上説明した実施形態によれば、以下の効果が得られるようになる。
（１）エッジ部１２０の先端１２１に向かう過程でオイルの液滴が成長し、スリンガ１２の外縁部から飛散するオイルの液滴が大きくなるため、飛散したオイルがミスト状になってしまうことが抑制される。そのため、スリンガ１２から飛散したオイルがミスト状になって捕集されにくくなってしまうことを抑制することができる。ひいては、オイルの消費量を抑制することができる。
【００３１】
なお、上記の実施形態は以下のように変更して実施することができる。
・オイルガイド溝１２２の数は、適宜変更することができる。例えば、オイルガイド溝１２２を各エッジ部１２０に対して１本ずつ、又は２本ずつ設けるようにしてもよい。また、オイルガイド溝１２２を各エッジ部１２０に対して４本以上ずつ設けるようにしてもよい。さらには、各エッジ部１２０に設けるオイルガイド溝１２２の数をそれぞれ異ならせることもできる。例えば、いくつかのエッジ部１２０には２本のオイルガイド溝１２２を設ける一方で残りのオイルガイド溝１２２には３本のオイルガイド溝１２２を設けるといった構成を採用することもできる。また、一部のエッジ部１２０にはオイルガイド溝１２２を設けないといった構成を採用することもできる。
【００３２】
・上記の実施形態では、内燃機関のクランクシャフトにおけるフライホイールと接続されるリアフランジの部分をシールするオイルシール１０を例示したが、上記の実施形態のオイルシール１０と同様の構成を他の部位をシールするオイルシールに適用することもできる。すなわち、上記の実施形態と同様の構成は、スリンガを有する内環を備え、回転軸とハウジングとの間をシールするオイルシールであれば適用することができる。
【符号の説明】
【００３３】
１０…オイルシール、１１…内環、１２…スリンガ、１３…外環、１４…突出部、１５…シール部材、１６…被覆部、１７…第１リップ部、１８…第２リップ部、２０…クランクシャフト、２１…リアフランジ、３０…フライホイール、４０…ハウジング、４１…挿通孔、４２…軸受け部、１２０…エッジ部、１２１…先端、１２２…オイルガイド溝。
【図１】
2016205528.tif 000003
【図２】
2016205528.tif 000004
【図３】
2016205528.tif 000005